(57)【要約】【課題】ガス圧が大きくて最大伸長ストロークが長い大型のガスダンパーを使用しなくても、必要に応じてウィング体８を広角開放することができ、固定フレーム１０の内側スペースの有効利用度を徒に減少させることがなく、また、開放起動時に加えるべき手動操作力を大きくしない開放助勢装置を提供する。【解決手段】固定側枢軸９を固定フレーム１０に対して支持するブラケット１１に、固定側枢軸９が移動可能に嵌挿されるスロット１２を形成し、当該スロット１２のヒンジ軸６側の端部に屈曲係止部１３を形成し、ガス反力によりウィング体８を通常角度まで開放した後、固定枢軸９をスロット１２に沿ってヒンジ軸６側に移動させることによって、ウィング体１を広角度に追加開放させ、この広角開放の終端において固定枢軸９を屈曲係止部１３に送り込ませる。【選択図】    図１
2004332471.tif 000002
【特許請求の範囲】
【請求項１】
ガスダンパー１のシリンダー２側の第１ジョイント部３とピストンロッド４側の第２ジョイント部５の一方をヒンジ軸６に近い方にある可動側枢軸７によってウィング体８に枢着し、第１ジョイント部３と第２ジョイント部５の他方をヒンジ軸６に遠い方にある固定側枢軸９によって固定フレーム１０に枢着し、固定側枢軸９を固定フレーム１０に対して支持するブラケット１１に、固定側枢軸９が移動可能に嵌挿されるスロット１２を形成し、当該スロット１２のヒンジ軸６側の端部に屈曲係止部１３を形成し、シリンダー２内に密閉されたガスの反力によりウィング体８をヒンジ軸６を中心に通常角度まで開放した後、固定枢軸９をスロット１２に沿ってヒンジ軸６側に移動させて、ウィング体１を広角度に追加開放させ、この広角開放の終端において固定枢軸９をスロット１２の屈曲係止部１３に入り込ませるようにした開放助勢装置。
【発明の詳細な説明】
【０００１】
【発明が属する技術分野】本発明は、共同溝出入り口部のグレーチング蓋や壁面収納庫又は床下収納庫あるいは機器収納筐体の扉といったウィング体の開放助勢装置に関するものである。
【０００２】
【従来の技術】シリンダー内に密閉されたガスの圧力によってウィング体を開放方向に回転付勢するガスダンパーによるウィング体の開放助勢装置は既に各種分野で使用されている（例えば、特許文献１及び特許文献２参照）。
【０００３】
ガスダンパーのガス反力はガスダンパーの中心軸線方向に作用するものであるから、ガスダンパーの中心軸線がウィング体表面に対して直角であるとき、ガス反力の利用度合は最大となる。
ガスダンパーをウィング体の裏側に収容する通常の使用形態では、ガスダンパーの中心軸線とウィング体表面がなす角度は直角とはなっておらず、直角位置からの偏差により生ずる分力がロス分となっている。
【０００４】
ガスダンパーの通常の使用形態ではウィング体の開放角度は８０度程度であり、そのような使用形態では、ガスダンパーとウィング体表面のなす角度を大きくとることができるが、機器の搬出入等のためにウィング体を１００度から１３０度といった広角度に開放する場合もある使用形態では、その広角開放位置においてガスダンパーの中心軸線とウィング体表面がなす角度は極めて小さくなり、ガス反力の相当部分がロスとなる。
【０００５】
このような広角開放の使用形態においてもウィング体に必要十分な助勢力を作用させるためには、ガス反力が大きくて伸長時の長さ寸法が十分に長い大型のガスダンパーを組み込む必要がある。しかしながら、ガスダンパーを単純に大型化すると、ガスダンパーの作動用に確保すべきスペースが増加するため、庫内スペースの有効利用度が減少するという難点がある。また、ガス圧が増大すると、ウィング体の開放起動時に与えるべき手動操作力が大きくなり、操作者に余分な負担がかかることになる。
【０００６】
【特許文献１】実公平４−３９３４４号公報
【特許文献２】実公平６−３３００７号公報
【０００７】
【発明が解決しようとする課題】したがって本発明の目的は、ガス圧が大きくて最大伸長ストロークが長い大型のガスダンパーを使用しなくても、必要に応じてウィング体を広角開放することができ、固定フレームの内側スペースの有効利用度を徒に減少させることがなく、また、開放起動時に加えるべき手動操作力を大きくしないガスダンパーによる開放助勢装置を提供することである。
【０００８】
【課題を解決するための手段】本発明の開放助勢装置は、ガスダンパー１のシリンダー２側の第１ジョイント部３とピストンロッド４側の第２ジョイント部５の一方をヒンジ軸６に近い方にある可動側枢軸７によってウィング体８に枢着し、第１ジョイント部３と第２ジョイント部５の他方をヒンジ軸６に遠い方にある固定側枢軸９によって固定フレーム１０に枢着し、固定側枢軸９を固定フレーム１０に対して支持するブラケット１１に、固定側枢軸９が移動可能に嵌挿されるスロット１２を形成し、当該スロット１２のヒンジ軸６側の端部に屈曲係止部１３を形成し、シリンダー２内に密閉されたガスの反力によりウィング体８をヒンジ軸６を中心に通常角度まで開放した後、固定枢軸９をスロット１２に沿ってヒンジ軸６側に移動させて、ウィング体１を広角度に追加開放させ、この広角開放の終端において固定枢軸９をスロット１２の屈曲係止部１３に入り込ませるようにしたものである。
【０００９】
【００１０】
ウィング体８の一部またはウィング体８に別途装備されたハンドルに操作者が手を掛け、前記回転モーメントに打ち勝つ力を与えてウィング体８を開放起動すると、可動側枢軸７が前記基準直線をウィング体８側に越えた瞬間にガス反力による回転モーメントの作用方向が逆転し、ウィング体８は反時計回り方向の回転モーメントによって開放助勢される。かくして、ピストンロッド４がシリンダー２から伸出することによって、ウィング体８は自動的に押し上げられ、ガスダンパー１が最大許容ストロークまで伸長したとき、図２に示したように通常の開放角度（例えば８０度）まで回転している。
固定側枢軸９はスロット１２のヒンジ軸６から遠い方の端部１２ａに押し付けられている。
【００１１】
上記角度は通常の使用形態における最大開放角度であるが、機器の搬出入作業等に際してウィング体８を更に広角度（例えば１３０度）に開放したい場合には、ウィング体８を当該広角開放位置まで手動操作によって引き上げる。
このウィング体８の追加開放操作時には、ガスダンパー１は最大伸長状態を保持したまま一本の棒のごとくにウィング体８と一緒に引き上げられる。このときガスダンパー１は可動側枢軸７を中心に回動し、固定側枢軸９が前記スロット１２内をヒンジ軸６側に向かって移動する。
【００１２】
スロット１２のヒンジ軸６の近い方の端部１２ｂまで固定側枢軸９が到達した広角開放回転の終端において、図３に示したように固定側枢軸９はスロット１２の屈曲係止部１３に送り込まれる。このときにはウィング体８の自重による回転モーメントは、ヒンジ軸６を中心として図３において時計回り方向に作用しており、固定側枢軸９は屈曲係止部１３の奥に押し付けられている。そのため、固定側枢軸９が屈曲係止部１３から無意図的に脱出することはなく、ウィング体８は広角開放位置に安定に保持される。
【００１３】
作業終了後、手動操作によって固定側枢軸９を屈曲係止部１３から引き出し、スロット１２のヒンジ軸６に近い方の端部１２ｂまで移動させると、ウィング体８は自重によってヒンジ軸６を中心に図３において時計回り方向に閉鎖回転する。このとき、最大伸長状態にあるガスダンパー１は可動側枢軸７を中心に回動しながらウィング体８と一体に押し下げられ、固定側枢軸９はスロット１２内をヒンジ軸６側から離れる方向に移動する。
【００１４】
固定側枢軸９がスロット１２のヒンジ軸６に遠い方の端部１２ａに到達したときには、ウィング体８は通常の開放角度にまで戻されている。これ以降は通常の操作手順によってガス反力に抗しながら操作者の人力によりウィング体８を引き下げ回転させる。
この引き下げ回転操作によってガスダンパー１は短縮方向に作動し、ピストンロッド４がシリンダー２内に順次押し込まれる。可動側枢軸７が前記基準直線をウィング体８の反対側に越えた位置に来たとき、ガス反力による回転モーメントは時計回り方向に反転し、ウィング体８はウィング体格納用凹部１４内に格納され、閉鎖状態に安定に保持される。
【００１５】
【発明の実施の形態】図示の実施例は、機器収納筐体に適用した場合のものであり、ウィング体格納用凹部１４は垂直方向に配置されている。ウィング体８の内側表面にはブラケット１６を固着してあり、ガスダンパー１はシリンダー２側の第１ジョイント部３を可動側枢軸７によって前記ブラケット１６に枢着されている。スロット１２と屈曲係止部１３をＬ字状に形成したブラケット１１は、ウィング体格納用凹部１４より少し引き込んだ位置において固定フレーム１０の内側面に固着されている。ブラケット１１のスロット１２は垂直方向に配置されている。
【００１６】
共同溝出入り口部のグレーチング蓋や床下収納庫などに適用する場合には、ウィング体格納用凹部１４は水平方向に配置され、ブラケット１１のスロット１２は水平方向に配置される。
図４に示したようにスロット１２の両端部に屈曲係止部１３を形成した兼用型のブラケット１１を用意すれば、ウィング体８が左開きと右開きのいずれにおいても適用することができる。
【００１７】
図５はウィング体８の幅寸法が広いウィング体８に適用した場合を示し、ガスダンパー１としては、図１に示したガスダンパー１よりも最大許容ストロークが長いものが使用されている。その他の構成および作用は図１に示した実施例と同じなので説明は省略する。
【００１８】
【発明の効果】以上のように本発明のガスダンパーによるウィング体の開放助勢装置では、固定側枢軸９を固定フレーム１０に対して支持するブラケット１１に、固定側枢軸９が移動可能に嵌挿されるスロット１２を形成し、当該スロット１２のヒンジ軸６側の端部に屈曲係止部１３を形成し、ガス反力によりウィング体８を通常角度まで開放した後、固定枢軸９をスロット１２に沿ってヒンジ軸６側に移動させることによって、ウィング体１を広角度に追加開放させ、この広角開放の終端において固定枢軸９を屈曲係止部１３に送り込ませるようにしたので、ガス圧が大きくて最大伸長ストロークが長い大型のガスダンパーを使用しなくても、必要に応じてウィング体８を広角開放することができ、固定フレーム１０の内側スペースの有効利用度を徒に減少させることがなく、また、開放起動時に加えるべき手動操作力を大きくして、起動操作を重くすることがない。
また、広角開放を可能とするための手段としては固定側枢軸９のブラケット１１にスロット１２と屈曲係止部１３を形成するだけで足り、ガスダンパー１自体に変更を加えたり、特別の連動機構や補助リンク機構などを追加する必要がないから、開放助勢装置の全体構造が簡略化され、製作加工のコストを抑えて広角開放という初期の目的を的確に達成することができる。
【図面の簡単な説明】
【図１】本発明の一実施例に係る開放助勢装置の正面図であり、ウィング体は閉鎖状態にある。
【図２】図１の開放助勢装置によってウィング体を通常角度（８０度）まで開放したときの正面図である。
【図３】図１の開放助勢装置によってウィング体を広角開放（１３０度）したときの正面図である。
【図４】屈曲係止部をスロットの両端部に形成した兼用ブラケットの正面図である。
【図５】本発明の別の実施例に係る開放助勢装置の動作態様を示す正面図である。
【符号の説明】
１  ガスダンパー
２  シリンダー
３  第１ジョイント部
４  ピストンロッド
５  第２ジョイント部
６  ヒンジ軸
７  可動側枢軸
８  ウィング体
９  固定側枢軸
１０  固定フレーム
１１  ブラケット
１２  スロット
１３  屈曲係止部
１４  ウィング体格納用凹部
１５  受枠部
１６  ブラケット
【図１】
2004332471.tif 000003
【図２】
2004332471.tif 000004
【図３】
2004332471.tif 000005
【図４】
2004332471.tif 000006
【図５】
2004332471.tif 000007
【手続補正書】
【提出日】平成15年5月26日(2003.5.26)
【手続補正１】
【補正対象書類名】明細書
【補正対象項目名】全文
【補正方法】変更
【補正の内容】
【特許請求の範囲】
【請求項１】ガスダンパー１のシリンダー２側の第１ジョイント部３とピストンロッド４側の第２ジョイント部５の一方をヒンジ軸６に近い方にある可動側枢軸７によってウィング体８に枢着し、第１ジョイント部３と第２ジョイント部５の他方をヒンジ軸６に遠い方にある固定側枢軸９によって固定フレーム１０に枢着し、固定側枢軸９を固定フレーム１０に対して支持するブラケット１１に、固定側枢軸９が移動可能に嵌挿されるスロット１２を形成し、当該スロット１２のヒンジ軸６側の端部に屈曲係止部１３を形成し、シリンダー２内に密閉されたガスの反力によりウィング体８をヒンジ軸６を中心に通常角度まで開放した後、固定枢軸９をスロット１２に沿ってヒンジ軸６側に移動させて、ウィング体１を広角度に追加開放させ、この広角開放の終端において固定枢軸９をスロット１２の屈曲係止部１３に入り込ませるようにした開放助勢装置。
【発明の詳細な説明】
【０００１】
【発明が属する技術分野】本発明は、共同溝出入り口部のグレーチング蓋や壁面収納庫又は床下収納庫あるいは機器収納筐体の扉といったウィング体の開放助勢装置に関するものである。
【０００２】
【従来の技術】シリンダー内に密閉されたガスの圧力によってウィング体を開放方向に回転付勢するガスダンパーによるウィング体の開放助勢装置は既に各種分野で使用されている（例えば、特許文献１及び特許文献２参照）。
【０００３】
ガスダンパーのガス反力はガスダンパーの中心軸線方向に作用するものであるから、ガスダンパーの中心軸線がウィング体表面に対して直角であるとき、ガス反力の利用度合は最大となる。
ガスダンパーをウィング体の裏側に収容する通常の使用形態では、ガスダンパーの中心軸線とウィング体表面がなす角度は直角とはなっておらず、直角位置からの偏差により生ずる分力がロス分となっている。
【０００４】
ガスダンパーの通常の使用形態ではウィング体の開放角度は８０度程度であり、そのような使用形態では、ガスダンパーとウィング体表面のなす角度を大きくとることができるが、機器の搬出入等のためにウィング体を１００度から１３０度といった広角度に開放する場合もある使用形態では、その広角開放位置においてガスダンパーの中心軸線とウィング体表面がなす角度は極めて小さくなり、ガス反力の相当部分がロスとなる。
【０００５】
このような広角開放の使用形態においてもウィング体に必要十分な助勢力を作用させるためには、ガス反力が大きくて伸長時の長さ寸法が十分に長い大型のガスダンパーを組み込む必要がある。しかしながら、ガスダンパーを単純に大型化すると、ガスダンパーの作動用に確保すべきスペースが増加するため、庫内スペースの有効利用度が減少するという難点がある。また、ガス圧が増大すると、ウィング体の開放起動時に与えるべき手動操作力が大きくなり、操作者に余分な負担がかかることになる。
【０００６】
【特許文献１】実公平４−３９３４４号公報
【特許文献２】実公平６−３３００７号公報
【０００７】
【発明が解決しようとする課題】したがって本発明の目的は、ガス圧が大きくて最大伸長ストロークが長い大型のガスダンパーを使用しなくても、必要に応じてウィング体を広角開放することができ、固定フレームの内側スペースの有効利用度を徒に減少させることがなく、また、開放起動時に加えるべき手動操作力を大きくしないガスダンパーによる開放助勢装置を提供することである。
【０００８】
【課題を解決するための手段】本発明の開放助勢装置は、ガスダンパー１のシリンダー２側の第１ジョイント部３とピストンロッド４側の第２ジョイント部５の一方をヒンジ軸６に近い方にある可動側枢軸７によってウィング体８に枢着し、第１ジョイント部３と第２ジョイント部５の他方をヒンジ軸６に遠い方にある固定側枢軸９によって固定フレーム１０に枢着し、固定側枢軸９を固定フレーム１０に対して支持するブラケット１１に、固定側枢軸９が移動可能に嵌挿されるスロット１２を形成し、当該スロット１２のヒンジ軸６側の端部に屈曲係止部１３を形成し、シリンダー２内に密閉されたガスの反力によりウィング体８をヒンジ軸６を中心に通常角度まで開放した後、固定枢軸９をスロット１２に沿ってヒンジ軸６側に移動させて、ウィング体１を広角度に追加開放させ、この広角開放の終端において固定枢軸９をスロット１２の屈曲係止部１３に入り込ませるようにしたものである。
【０００９】
本発明の開放助勢装置では、図１に示したようにウィング体８の全体が固定フレーム１０側のウィング体格納用凹部１４に格納された閉鎖状態にあるとき、可動側枢軸７はヒンジ軸６と固定側枢軸９を結ぶ基準直線をウィング体８の反対側に越えた位置にあり、ガスダンパー１のガス反力による回転モーメントはヒンジ軸６を中心として図１において時計回り方向に作用している。そのため、ウィング体８の自由端が受枠部１５に押し付けられ、ウィング体８の閉鎖状態はガスダンパー１によって安定に保持されている。
固定側枢軸９はスロット１２のヒンジ軸６から遠い方の端部１２ａに押し付けられている。
【００１０】
ウィング体８の一部またはウィング体８に別途装備されたハンドルに操作者が手を掛け、前記回転モーメントに打ち勝つ力を与えてウィング体８を開放起動すると、可動側枢軸７が前記基準直線をウィング体８側に越えた瞬間にガス反力による回転モーメントの作用方向が逆転し、ウィング体８は反時計回り方向の回転モーメントによって開放助勢される。かくして、ピストンロッド４がシリンダー２から伸出することによって、ウィング体８は自動的に押し上げられ、ガスダンパー１が最大許容ストロークまで伸長したとき、図２に示したように通常の開放角度（例えば８０度）まで回転している。
固定側枢軸９はスロット１２のヒンジ軸６から遠い方の端部１２ａに押し付けられている。
【００１１】
上記角度は通常の使用形態における最大開放角度であるが、機器の搬出入作業等に際してウィング体８を更に広角度（例えば１３０度）に開放したい場合には、ウィング体８を当該広角開放位置まで手動操作によって引き上げる。
このウィング体８の追加開放操作時には、ガスダンパー１は最大伸長状態を保持したまま一本の棒のごとくにウィング体８と一緒に引き上げられる。このときガスダンパー１は可動側枢軸７を中心に回動し、固定側枢軸９が前記スロット１２内をヒンジ軸６側に向かって移動する。
【００１２】
スロット１２のヒンジ軸６の近い方の端部１２ｂまで固定側枢軸９が到達した広角開放回転の終端において、図３に示したように固定側枢軸９はスロット１２の屈曲係止部１３に送り込まれる。このときにはウィング体８の自重による回転モーメントは、ヒンジ軸６を中心として図３において時計回り方向に作用しており、固定側枢軸９は屈曲係止部１３の奥に押し付けられている。そのため、固定側枢軸９が屈曲係止部１３から無意図的に脱出することはなく、ウィング体８は広角開放位置に安定に保持される。
【００１３】
作業終了後、手動操作によって固定側枢軸９を屈曲係止部１３から引き出し、スロット１２のヒンジ軸６に近い方の端部１２ｂまで移動させると、ウィング体８は自重によってヒンジ軸６を中心に図３において時計回り方向に閉鎖回転する。このとき、最大伸長状態にあるガスダンパー１は可動側枢軸７を中心に回動しながらウィング体８と一体に押し下げられ、固定側枢軸９はスロット１２内をヒンジ軸６側から離れる方向に移動する。
【００１４】
固定側枢軸９がスロット１２のヒンジ軸６に遠い方の端部１２ａに到達したときには、ウィング体８は通常の開放角度にまで戻されている。これ以降は通常の操作手順によってガス反力に抗しながら操作者の人力によりウィング体８を引き下げ回転させる。
この引き下げ回転操作によってガスダンパー１は短縮方向に作動し、ピストンロッド４がシリンダー２内に順次押し込まれる。可動側枢軸７が前記基準直線をウィング体８の反対側に越えた位置に来たとき、ガス反力による回転モーメントは時計回り方向に反転し、ウィング体８はウィング体格納用凹部１４内に格納され、閉鎖状態に安定に保持される。
【００１５】
【発明の実施の形態】図示の実施例は、機器収納筐体に適用した場合のものであり、ウィング体格納用凹部１４は垂直方向に配置されている。ウィング体８の内側表面にはブラケット１６を固着してあり、ガスダンパー１はシリンダー２側の第１ジョイント部３を可動側枢軸７によって前記ブラケット１６に枢着されている。スロット１２と屈曲係止部１３をＬ字状に形成したブラケット１１は、ウィング体格納用凹部１４より少し引き込んだ位置において固定フレーム１０の内側面に固着されている。ブラケット１１のスロット１２は垂直方向に配置されている。
【００１６】
共同溝出入り口部のグレーチング蓋や床下収納庫などに適用する場合には、ウィング体格納用凹部１４は水平方向に配置され、ブラケット１１のスロット１２は水平方向に配置される。
図４に示したようにスロット１２の両端部に屈曲係止部１３を形成した兼用型のブラケット１１を用意すれば、ウィング体８が左開きと右開きのいずれにおいても適用することができる。
【００１７】
図５はウィング体８の幅寸法が広いウィング体８に適用した場合を示し、ガスダンパー１としては、図１に示したガスダンパー１よりも最大許容ストロークが長いものが使用されている。その他の構成および作用は図１に示した実施例と同じなので説明は省略する。
【００１８】
【発明の効果】以上のように本発明のガスダンパーによるウィング体の開放助勢装置では、固定側枢軸９を固定フレーム１０に対して支持するブラケット１１に、固定側枢軸９が移動可能に嵌挿されるスロット１２を形成し、当該スロット１２のヒンジ軸６側の端部に屈曲係止部１３を形成し、ガス反力によりウィング体８を通常角度まで開放した後、固定枢軸９をスロット１２に沿ってヒンジ軸６側に移動させることによって、ウィング体１を広角度に追加開放させ、この広角開放の終端において固定枢軸９を屈曲係止部１３に送り込ませるようにしたので、ガス圧が大きくて最大伸長ストロークが長い大型のガスダンパーを使用しなくても、必要に応じてウィング体８を広角開放することができ、固定フレーム１０の内側スペースの有効利用度を徒に減少させることがなく、また、開放起動時に加えるべき手動操作力を大きくして、起動操作を重くすることがない。
また、広角開放を可能とするための手段としては固定側枢軸９のブラケット１１にスロット１２と屈曲係止部１３を形成するだけで足り、ガスダンパー１自体に変更を加えたり、特別の連動機構や補助リンク機構などを追加する必要がないから、開放助勢装置の全体構造が簡略化され、製作加工のコストを抑えて広角開放という初期の目的を的確に達成することができる。
【図面の簡単な説明】
【図１】本発明の一実施例に係る開放助勢装置の正面図であり、ウィング体は閉鎖状態にある。
【図２】図１の開放助勢装置によってウィング体を通常角度（８０度）まで開放したときの正面図である。
【図３】図１の開放助勢装置によってウィング体を広角開放（１３０度）したときの正面図である。
【図４】屈曲係止部をスロットの両端部に形成した兼用ブラケットの正面図である。
【図５】本発明の別の実施例に係る開放助勢装置の動作態様を示す正面図である。
【符号の説明】
１  ガスダンパー
２  シリンダー
３  第１ジョイント部
４  ピストンロッド
５  第２ジョイント部
６  ヒンジ軸
７  可動側枢軸
８  ウィング体
９  固定側枢軸
１０  固定フレーム
１１  ブラケット
１２  スロット
１３  屈曲係止部
１４  ウィング体格納用凹部
１５  受枠部
１６  ブラケット